(57)【要約】【課題】監視用カメラを必要とすることなく、表示装置の表示状態を遠隔監視することを可能にする。【解決手段】コンテンツ表示端末１０は、表示装置１１の画面上に表示される画像データを保持する画面表示用記憶装置１２から画像データを取得し、取得された画像データを、表示装置１１の画面表示状態を遠隔監視するための配信センター２０に送る。【選択図】図２
2007312028.tif 000002
【特許請求の範囲】
【請求項１】
表示装置の画面上に表示される画像データを保持する画面表示用記憶装置から、前記画像データを取得する画像データ取得部と、
前記取得された画像データを、前記表示装置の画面表示状態を遠隔監視するための監視装置に送る画像データ送出部と、
を有することを特徴とする監視画像送出装置。
【請求項２】
前記画像データ取得部は、前記表示装置の画面上に表示されるコンテンツの切り替えに応じて、前記画像データの取得を行うことを特徴とする請求項１記載の監視画像送出装置。
【請求項３】
前記画像データ取得部は、ユーザの指示に基づく前記監視装置からの要求に応じて、前記画像データの取得を行うことを特徴とする請求項１または２記載の監視画像送出装置。
【請求項４】
コンピュータに、
表示装置の画面上に表示される画像データを保持する画面表示用記憶装置から、前記画像データを取得するステップと、
前記取得された画像データを、前記表示装置の画面表示状態を遠隔監視するための監視装置に送るステップと、
を実行させることを特徴とするプログラム。
【請求項５】
コンピュータに、前記表示装置の画面上に表示されるコンテンツの切り替えに応じて、前記画像データを取得するステップを実行させることを特徴とする請求項４記載のプログラム。
【請求項６】
コンピュータに、ユーザの指示に基づく前記監視装置からの要求に応じて、前記画像データを取得するステップを実行させることを特徴とする請求項４または５記載のプログラム。
【発明の詳細な説明】
【技術分野】
【０００１】
本発明は、監視画像送出装置およびプログラムに関する。
【背景技術】
【０００２】
表示装置の表示状態を遠隔監視するための技術がある。
【０００３】
例えば、特許文献１には、端末システムのディスプレイの表示画像を遠隔監視用カメラにより撮影して画像データを生成し、当該画像データをセンターシステムに送信し、センターシステムの遠隔監視用モニタ上に表示させるシステムが開示されている。
【０００４】
また、特許文献２には、電子看板装置に組み込まれるソフトウェアであって、電子看板装置が表示した内容や運用状況を端末側サーバから確認可能にするものが記載されている。
【０００５】
【特許文献１】特開平１１−２８４９７７号公報
【特許文献２】特開平１１−６５９５７号公報
【発明の開示】
【発明が解決しようとする課題】
【０００６】
しかし、上記特許文献１に記載のシステムでは、遠隔監視用カメラが必要とされ、コストや設置の手間が掛かる。
【０００７】
なお、特許文献２には、表示内容の遠隔監視について、具体的な実現手段は記載されていない。
【０００８】
そこで、本発明は、監視用カメラを必要とすることなく、表示装置の表示状態を遠隔監視することを可能にする監視画像送出装置を提供する。
【課題を解決するための手段】
【０００９】
本発明に係る監視画像送出装置は、表示装置の画面上に表示される画像データを保持する画面表示用記憶装置から、前記画像データを取得する画像データ取得部と、前記取得された画像データを、前記表示装置の画面表示状態を遠隔監視するための監視装置に送る画像データ送出部と、を有することを特徴とする。
【００１０】
本発明の好適な態様では、前記画像データ取得部は、前記表示装置の画面上に表示されるコンテンツの切り替えに応じて、前記画像データの取得を行う。
【００１１】
また、本発明の好適な態様では、前記画像データ取得部は、ユーザの指示に基づく前記監視装置からの要求に応じて、前記画像データの取得を行う。
【００１２】
本発明に係るプログラムは、コンピュータに、表示装置の画面上に表示される画像データを保持する画面表示用記憶装置から、前記画像データを取得するステップと、前記取得された画像データを、前記表示装置の画面表示状態を遠隔監視するための監視装置に送るステップと、を実行させることを特徴とする。
【００１３】
本発明の好適な態様では、前記プログラムは、コンピュータに、前記表示装置の画面上に表示されるコンテンツの切り替えに応じて、前記画像データを取得するステップを実行させる。
【００１４】
また、本発明の好適な態様では、前記プログラムは、コンピュータに、ユーザの指示に基づく前記監視装置からの要求に応じて、前記画像データを取得するステップを実行させる。
【発明の効果】
【００１５】
本発明によれば、監視用カメラを必要とすることなく、表示装置の表示状態を遠隔監視することを可能にする監視画像送出装置を提供することができる。
【発明を実施するための最良の形態】
【００１６】
以下、本発明の実施の形態を図面に従って説明する。
【００１７】
図１は、本実施の形態に係る監視画像送出装置を含むコンテンツ表示システム１の全体構成を示すブロック図である。図１において、コンテンツ表示システム１は、１台以上のコンテンツ表示端末１０と、配信センター２０とを有する。コンテンツ表示端末１０と配信センター２０とは、インターネット等のネットワークＮを介して互いに接続される。
【００１８】
コンテンツ表示端末１０は、コンテンツを表示する装置である。本実施の形態では、コンテンツ表示端末１０は、店舗の出入り口や会社などに設置され、広告や社員向け情報などのコンテンツを表示する電子看板装置である。コンテンツとしては、例えば、文字情報、静止画、動画などが挙げられる。本実施の形態では、以下に説明するように、コンテンツ表示端末１０は、監視画像送出装置としても機能する。
【００１９】
配信センター２０は、コンテンツ表示端末１０に対してコンテンツを配信する装置である。本実施の形態では、配信センター２０は、コンテンツ表示端末１０の画面表示状態を遠隔監視するための監視装置としても機能する。本実施の形態では、配信センター２０は、１台以上のコンピュータにより構成されるサーバ装置である。
【００２０】
図２は、コンテンツ表示端末１０および配信センター２０の構成を示すブロック図である。以下、図２に従って、コンテンツ表示端末１０および配信センター２０の構成について説明する。
【００２１】
図２において、コンテンツ表示端末１０は、表示装置１１、画面表示用記憶装置１２、コンテンツ受取部１３、コンテンツ保持部１４、画像データ書込部１５、表示制御部１６、画像データ取得部１７、画像データ保持部１８、および画像データ送出部１９を有する。
【００２２】
表示装置１１は、画像を表示する装置であり、例えば、ＣＲＴ（Cathode Ray Tube）ディスプレイ、液晶ディスプレイ、プラズマディスプレイなどである。
【００２３】
画面表示用記憶装置１２は、表示装置１１の画面上に表示される画像データを保持するものであり、本実施の形態では、上記画像データを保持する画面表示用メモリ、すなわちＶＲＡＭ（Video Random Access Memory）である。以下の説明では、画面表示用記憶装置１２を適宜「画面メモリ１２」と称す。画面メモリ１２は、例えば、メインメモリの一部や、ビデオカードに搭載された専用のメモリなどにより実現される。
【００２４】
コンテンツ受取部１３は、配信センター２０から、コンテンツとその表示スケジュールとを受け取る。
【００２５】
コンテンツ保持部１４は、コンテンツ受取部１３により受け取られたコンテンツとその表示スケジュールとを保持するものであり、ＲＡＭ（Random Access Memory）やハードディスク等の記憶装置により実現される。
【００２６】
画像データ書込部１５は、コンテンツ保持部１４を参照し、当該コンテンツ保持部１４に保持されているコンテンツがその表示スケジュールに従って表示装置１１に表示されるように、画像データを画面メモリ１２に書き込む。
【００２７】
表示制御部１６は、画面メモリ１２に保持されている画像データにより示される画像を、表示装置１１の画面上に表示させる。
【００２８】
画像データ取得部１７は、画面メモリ１２から画像データを取得する。本実施の形態では、画像データ取得部１７は、表示装置１１の画面上に表示されるコンテンツの切り替えに応じて、またはコンテンツの表示スケジュールに応じて、画面メモリ１２からの画像データの取得を行う。また、画像データ取得部１７は、ユーザの指示に基づく配信センター２０からの要求に応じて、画面メモリ１２からの画像データの取得を行う。ただし、画像データ取得部１７による画像データの取得のタイミングは、上記に限られず適宜に設定されればよい。例えば、画像データ取得部１７は、一定時間間隔で画像データの取得を行ってもよい。
【００２９】
画像データ保持部１８は、画像データ取得部１７により取得された画像データを保持するものであり、ＲＡＭやハードディスク等の記憶装置により実現される。
【００３０】
画像データ送出部１９は、画像データ保持部１８に保持されている画像データを配信センター２０に送る。
【００３１】
なお、上記構成を有するコンテンツ表示端末１０は、物理的に１つの装置であってもよいし、ケーブル等で互いに接続された物理的に複数の装置で構成されてもよい。例えば、コンテンツ表示端末１０は、表示装置１１と、それ以外の部分１２〜１９を含むコンピュータとにより構成されてもよい。
【００３２】
また、上記のコンテンツ受取部１３、画像データ書込部１５、表示制御部１６、画像データ取得部１７、および画像データ送出部１９は、例えば、ＲＯＭ（Read Only Memory）やハードディスク等の記録媒体に記録されたプログラムがメインメモリに読み出されてＣＰＵ（Central Processing Unit）に実行されることによって実現される。このようなプログラムは、ＣＤ−ＲＯＭ等の適宜の記録媒体に記録されて配布されることも可能であるし、ネットワーク経由で配信されることも可能である。また、このようなプログラムは、例えば汎用ＯＳ（Operating System）上で動作するソフトウェアプログラムである。ただし、上記機能ブロックの一部または全部は、専用のハードウェア装置など、他の構成により実現されてもよい。
【００３３】
図２において、配信センター２０は、コンテンツ記憶部２１、コンテンツ送出部２２、画像データ受取部２３、画像データ記憶部２４、画像データ出力部２５、および画像データ要求部２６を有する。
【００３４】
コンテンツ記憶部２１は、コンテンツとその表示スケジュールとを記憶するものであり、例えばハードディスク等の記憶装置により実現される。
【００３５】
コンテンツ送出部２２は、コンテンツ記憶部２１に記憶されているコンテンツとその表示スケジュールとを、コンテンツ表示端末１０に送る。
【００３６】
画像データ受取部２３は、コンテンツ表示端末１０の画像データ送出部１９から画像データを受け取る。
【００３７】
画像データ記憶部２４は、画像データ受取部２３により受け取られた画像データを記憶するものであり、例えばＲＡＭやハードディスク等の記憶装置により実現される。
【００３８】
画像データ出力部２５は、画像データ記憶部２４に記憶されている画像データを、配信センター２０の不図示の出力装置（ディスプレイ等）に出力させる。
【００３９】
画像データ要求部２６は、ユーザの指示に基づき、コンテンツ表示端末１０に対して画像データの取得を要求する。
【００４０】
なお、上記のコンテンツ送出部２２、画像データ受取部２３、画像データ出力部２５、および画像データ要求部２６は、例えば、ＲＯＭやハードディスク等の記録媒体に記録されたプログラムがメインメモリに読み出されてＣＰＵに実行されることによって実現される。このようなプログラムは、ＣＤ−ＲＯＭ等の適宜の記録媒体に記録されて配布されることも可能であるし、ネットワーク経由で配信されることも可能である。また、このようなプログラムは、例えば汎用ＯＳ上で動作するソフトウェアプログラムである。ただし、上記機能ブロックの一部または全部は、専用のハードウェア装置など、他の構成により実現されてもよい。
【００４１】
また、上記のコンテンツ表示端末１０と配信センター２０との間の通信方法としては、例えば、ＩＰ（Internet Protocol）を用いた通信方法が挙げられる。とりわけ、ＨＴＴＰ（HyperText Transfer Protocol）を用いたＩＰ通信を採用すれば、コンテンツ表示端末１０と配信センター２０との間にファイアウォールが設定されていても好適に通信を行うことができる。ただし、コンテンツ表示端末１０と配信センター２０との間の通信には、他の通信方法が使用されてもよい。
【００４２】
また、上記のコンテンツ表示端末１０および配信センター２０において、画面メモリ１２から取得された画像データは、適宜の態様で管理され、例えば画像ファイルとして管理される。
【００４３】
次に、上記構成を有するコンテンツ表示システム１の動作について、コンテンツの表示に関する動作と、画面表示状態の監視に関する動作とに分けて具体的に説明する。なお、ここでは、配信センター２０のコンテンツ記憶部２１には、コンテンツ表示端末１０に繰り返し表示されるべき複数のコンテンツと、その表示スケジュールとを含む巡回セットデータが予め登録されているものとする。図３には、巡回セットデータの一例が示されている。図３の例では、巡回セットデータには、コンテンツ表示端末１０に繰り返し表示されるべき複数のコンテンツ（例えば静止画ファイルや動画ファイルなど）と、各コンテンツの表示順と、各コンテンツの表示時間長とが含まれている。
【００４４】
［コンテンツの表示に関する動作］
図４は、本実施の形態に係るコンテンツ表示システム１のコンテンツの表示に関する動作手順を示すフローチャートである。以下、図４を参照して、コンテンツ表示システム１のコンテンツの表示に関する動作について説明する。
【００４５】
図４を参照すると、コンテンツ表示端末１０において、コンテンツ受取部１３は、コンテンツ表示端末１０の起動時や一定時間間隔などの所定のタイミングで、配信センター２０に対して巡回セットデータ要求を送信する（Ｓ１１）。
【００４６】
配信センター２０において、コンテンツ送出部２２は、コンテンツ表示端末１０から上記巡回セットデータ要求を受けると、コンテンツ記憶部２１に登録されている巡回セットデータをコンテンツ表示端末１０に配信する（Ｓ１２）。
【００４７】
コンテンツ表示端末１０において、コンテンツ受取部１３は、配信センター２０から上記巡回セットデータを受信し、コンテンツ保持部１４に格納する（Ｓ１３）。
【００４８】
画像データ書込部１５と表示制御部１６とは、協働して、コンテンツ保持部１４に格納された巡回セットデータに基づき、表示スケジュールに従ってコンテンツを表示装置１１に表示させる（Ｓ１４）。
【００４９】
具体的には、画像データ書込部１５は、巡回セットデータ中の複数のコンテンツが、巡回セットデータで規定されている表示順で、巡回セットデータで規定されている表示時間長ずつ、繰り返し表示されるように、画像データを画面メモリ１２に書き込む。表示制御部１６は、画面メモリ１２に書き込まれた画像データに基づく画像を、表示装置１１に表示させる。
【００５０】
これにより、巡回セットデータが図３に示されるものである場合には、図５に示されるように、コンテンツＡ１，Ａ２，Ａ３が、Ａ１→Ａ２→Ａ３→Ａ１→Ａ２→Ａ３→・・・といった具合に巡回表示される。
【００５１】
［画面表示状態の監視に関する動作］
図６は、本実施の形態に係るコンテンツ表示システム１の画面表示状態の監視に関する動作手順を示すフローチャートである。以下、図６を参照して、コンテンツ表示システム１の画面表示状態の監視に関する動作について説明する。
【００５２】
図６を参照すると、コンテンツ表示端末１０において、画像データ取得部１７は、所定のタイミングで画面メモリ１２から画像データを抽出する（Ｓ２１）。
【００５３】
本実施の形態では、画像データ取得部１７は、図５の矢印で示されるような、コンテンツの表示が完了したタイミングで、すなわちコンテンツの表示スケジュールに同期したタイミングで、画面メモリ１２から画像データを抽出する。一つの態様では、画像データ書込部１５は、画面メモリ１２に書き込まれるコンテンツの切り替えが完了すると、その旨を画像データ取得部１７に通知し、画像データ取得部１７は、当該通知を受けると、画像データの抽出を行う。また別の態様では、コンテンツ保持部１４に保持されている表示スケジュールに基づいてコンテンツの切り替えのタイミングを求め、当該タイミングに基づいて画像データの抽出を行う。
【００５４】
また、本実施の形態では、画像データ取得部１７は、配信センター２０からの要求を受けると、画面メモリ１２からの画像データの抽出を行う。具体的には、配信センター２０の画像データ要求部２６は、ユーザ（例えばシステム管理者）から画像データ取得指示を受け付けると、画像データ取得部１７に対して画像データ取得要求を送信する。画像データ取得部１７は、当該画像データ取得要求を受けると、画像データの抽出を行う。
【００５５】
ついで、画像データ取得部１７は、上記抽出された画像データを画像データ保持部１８に格納する（Ｓ２２）。
【００５６】
画像データ送出部１９は、画像データ保持部１８に保持されている画像データを、所定のタイミングで、監視画像として配信センター２０に送信する（Ｓ２３）。ここで、上記所定のタイミングは、適宜に設定されればよい。例えば、画像データ送出部１９は、画像データが抽出される都度送ってもよいし、任意のタイミングに一括して送ってもよい。例えば、画像データ送出部１９は、一定時間間隔で一括して送ってもよいし、画像データ保持部１８に保持されている画像データの量が所定量に達した時に一括して送ってもよい。本実施の形態では、画像データ送出部１９は、画像データ取得要求に応じて抽出された画像データについては、抽出後すぐに当該画像データを送信する。
【００５７】
配信センター２０において、画像データ受取部２３は、画像データ送出部１９から上記画像データを受信すると、当該画像データを画像データ記憶部２４に監視画像として蓄積させる（Ｓ２４）。
【００５８】
画像データ出力部２５は、画像データ記憶部２４に蓄積された画像データを、所定のタイミングで、配信センター２０のユーザ（例えばシステム管理者）に提示する（Ｓ２５）。例えば、画像データ出力部２５は、不図示の表示装置の画面上に画像データを表示させる。なお、上記所定のタイミングは、適宜に設定されればよい。例えば、画像データ出力部２５は、コンテンツ表示端末１０から画像データを受け取ってすぐに当該画像データを出力させてもよいし、ユーザの指示に応じて出力させてもよい。本実施の形態では、画像データ出力部２５は、画像データ取得要求に応じて抽出された画像データについては、受け取り後すぐに当該画像データをユーザに提示する。
【００５９】
配信センター２０において、ユーザは、上記のように提示される監視画像を見ることにより、コンテンツ表示端末１０でのコンテンツの表示状態を監視することができ、その正常または異常を判断することができる。ここで、表示状態の異常としては、例えば、縦横比率の異常、エラー画面の表示、コンテンツ表示端末１０上のアプリケーションの画面（例えばセキュリティソフトのウィルススキャン画面）の表示などが挙げられる。
【００６０】
なお、上記説明では、配信センター２０のコンテンツ記憶部２１に１つの巡回セットデータが登録される場合を例示したが、複数の巡回セットデータが登録されてもよい。以下、複数の巡回セットデータが登録される場合の動作例を示す。
【００６１】
コンテンツ記憶部２１には、複数の巡回セットデータが登録される。また、コンテンツ記憶部２１は、スケジュールテーブルを有し、このスケジュールテーブルには、巡回セットデータの表示スケジュールが登録される。具体的には、スケジュールテーブルには、図７に示されるように、巡回セットデータ毎に、当該巡回セットデータの識別情報と、当該巡回セットデータに係るコンテンツが表示されるべき表示期間とが対応付けて登録される。
【００６２】
コンテンツ表示端末１０は、その起動時に、配信センター２０に対して巡回セットデータ要求を送信する。
【００６３】
配信センター２０は、上記巡回セットデータ要求を受信すると、スケジュールテーブルを参照して、現在時刻に対応する巡回セットデータを特定するとともに、次の巡回セットデータの切り替えの時刻を特定する。そして、配信センター２０は、コンテンツ表示端末１０に対して、上記特定された巡回セットデータを配信するとともに、上記特定された切り替えの時刻を通知する。例えば、スケジュールテーブルが図７に示されるものであり、現在時刻が１３：００であれば、配信センター２０は、巡回セットデータＡを配信するとともに、切り替えの時刻１５：００を通知する。
【００６４】
コンテンツ表示端末１０は、コンテンツ送出部２２から上記巡回セットデータおよび切り替えの時刻を受信する。そして、当該切り替えの時刻になるまで、当該巡回セットデータに含まれる複数のコンテンツを巡回表示する。そして、当該切り替えの時刻になると、配信センター２０に対して巡回セットデータ要求を送信する。
【００６５】
配信センター２０は、上記巡回セットデータ要求に応じて、上記と同様に、コンテンツ表示端末１０に対して、巡回セットデータを配信するとともに、切り替えの時刻を通知する。
【００６６】
以降、同様の処理が繰り返される。これにより、コンテンツ表示端末１０には、スケジュールテーブルどおりに巡回セットデータが配信される。
【００６７】
なお、上記の動作例では、配信センター２０が切り替えの時刻を通知する構成を例示したが、当該切り替えの時刻の通知は省略可能である。この場合、例えば、コンテンツ表示端末１０が、比較的短い周期で定期的に巡回セットデータ要求を送信すればよい。
【００６８】
また、上記の動作例では、配信センター２０がコンテンツ表示端末１０からの要求に応じて巡回セットデータを配信する構成を示したが、配信センター２０は、自発的に巡回セットデータをコンテンツ表示端末１０に配信してもよい。この場合、配信センター２０は、定期的に配信してもよいし、巡回セットデータの切り替わりのタイミングに合わせて配信してもよい。
【００６９】
また、配信センター２０がスケジュールテーブルおよび巡回セットデータに基づいて適切なコンテンツを選択してコンテンツ表示端末１０に配信し、コンテンツ表示端末１０が当該コンテンツを表示する、という構成であってもよい。この構成では、配信センター２０は、コンテンツの表示の切り替えのタイミングに合わせて、コンテンツの配信を行うとよい。
【００７０】
また、配信センター２０がスケジュールテーブルおよび全ての巡回セットデータをコンテンツ表示端末１０に配信し、コンテンツ表示端末１０が当該スケジュールテーブルおよび全ての巡回セットデータに基づいて適切なコンテンツを選択して表示する、という構成であってもよい。この構成では、配信センター２０は、スケジュールテーブルまたは巡回セットデータが更新された場合に、更新後のデータを配信するとよい。
【００７１】
また、上記説明では、コンテンツが巡回表示される構成を示したが、必ずしも巡回表示される必要はない。例えば、配信センター２０が複数のコンテンツとその表示スケジュール（例えば各コンテンツの表示期間）とをコンテンツ表示端末１０に配信し、コンテンツ表示端末１０が当該表示スケジュールに従ってコンテンツを切り替えて表示する、という構成であってもよい。
【００７２】
また、上記説明では、コンテンツの切り替えに応じて画像データの取得を行う構成として、切り替え直後に画像データの取得を行うものを例示したが、これに限られず、ある切り替えのタイミングから次の切り替えのタイミングまでの間の適宜のタイミングで、画像データの取得を少なくとも１回行えばよい。
【００７３】
以上のとおり、本実施の形態では、監視画像送出装置は、表示装置の画面上に表示される画像データを保持する画面表示用記憶装置から画像データを取得し、取得された画像データを、表示装置の画面表示状態を遠隔監視するための監視装置に送る。このため、本実施の形態によれば、監視用カメラを必要とすることなく、表示装置の表示状態を遠隔監視することが可能となる。具体的には、監視用カメラを用いずに、遠隔地のコンテンツ表示端末１０でのコンテンツの表示状態を、配信センター２０で監視することが可能となる。このように、監視用カメラが不要なので、システムの低コスト化や設置の容易化を図ることができる。
【００７４】
また、本実施の形態では、監視画像送出装置は、表示装置の画面上に表示されるコンテンツの切り替えに応じて、画像データの取得を行う。このため、本実施の形態によれば、取得される画像データの量をコンテンツの切り替えに応じた適切な量にすることができる。これにより、表示時間が長い１つのコンテンツについて何回も画像データが取得されることを回避することが可能となる。この結果、通信負荷や記憶負荷を削減することが可能となり、システムの安定化や低コスト化を図ることが可能となる。また、表示時間が短いコンテンツについての画像データの取りこぼしを回避することが可能となる。
【００７５】
また、本実施の形態では、監視画像送出装置は、ユーザの指示に基づく監視装置からの要求に応じて、画像データの取得を行う。このため、本実施の形態によれば、任意のタイミングで画面表示用記憶装置から画像データを取得することが可能となる。また、上記ユーザの指示に応じて、監視画像送出装置が画像データを取得して監視装置に送信し、監視装置が当該画像データを出力する構成とすれば、ユーザ（例えばシステム管理者）は、任意の時刻にその時点での表示装置の表示状態をすぐに確認することができ、表示装置の管理を迅速に行うことができる。
【００７６】
なお、本発明は、上記実施の形態に限定されるものではなく、本発明の要旨を逸脱しない範囲内で種々変更することができる。
【００７７】
例えば、配信センター２０は、コンテンツ表示端末１０からの画像データに基づき、コンテンツがスケジュールどおりに表示されているか否かを判断し、当該判断の結果をユーザに提示してもよい。
【００７８】
また、コンテンツ表示端末１０は、画像データ以外に、監視データとしてログファイル等の履歴データを配信センター２０に送ってもよい。ここで、履歴データには、例えば、コンテンツ表示端末１０に対するユーザの操作履歴などが含まれる。コンテンツ表示端末１０に対するユーザの操作としては、例えば、コンテンツの表示を延長させる操作、巡回セットデータに含まれる複数のコンテンツの中から所望のコンテンツを選択して表示させる操作、コンテンツを印刷させる操作などが挙げられる。この場合、配信センター２０は、コンテンツ表示端末１０からの画像データおよび履歴データに基づき、コンテンツがスケジュールどおりに表示されているか否かを判断し、当該判断の結果をユーザに提示してもよい。
【図面の簡単な説明】
【００７９】
【図１】実施の形態に係る監視画像送出装置を含むコンテンツ表示システムの全体構成を示すブロック図である。
【図２】コンテンツ表示端末および配信センターの構成を示すブロック図である。
【図３】巡回セットデータの一例を示す図である。
【図４】本実施の形態に係るコンテンツ表示システムのコンテンツの表示に関する動作手順を示すフローチャートである。
【図５】コンテンツが巡回表示される様子を示す図である。
【図６】本実施の形態に係るコンテンツ表示システムの画面表示状態の監視に関する動作手順を示すフローチャートである。
【図７】スケジュールテーブルの一例を示す図である。
【符号の説明】
【００８０】
１  コンテンツ表示システム、１０  コンテンツ表示端末、１１  表示装置、１２  画面表示用記憶装置、１３  コンテンツ受取部、１４  コンテンツ保持部、１５  画像データ書込部、１６  表示制御部、１７  画像データ取得部、１８  画像データ保持部、１９  画像データ送出部、２０  配信センター、２１  コンテンツ記憶部、２２  コンテンツ送出部、２３  画像データ受取部、２４  画像データ記憶部、２５  画像データ出力部、２６  画像データ要求部。
【図１】
2007312028.tif 000003
【図２】
2007312028.tif 000004
【図３】
2007312028.tif 000005
【図４】
2007312028.tif 000006
【図５】
2007312028.tif 000007
【図６】
2007312028.tif 000008
【図７】
2007312028.tif 000009